(57)【要約】【課題】  Ｘ線透過像に悪影響を及ぼすことのないＸ線撮影用の支持台を提供する。【解決手段】  検査対象物を載置する凹部を備えた載置面(１２)と、この載置面を所定の高さに支持する支持部(１３)とを有したものであって、特に上記載置面および支持部を複数本の梁(１１)を格子状に桁組みして構成する。好ましくは複数本の梁を、略直方体形状の支持台の各面を規定する辺部に対して斜めに桁組みし、Ｘ線照射方向における重なりを極力少なくする。【選択図】      図１
2005147800.tif 000002
【特許請求の範囲】
【請求項１】
検査対象物をＸ線検査に供する支持台であって、
前記検査対象物を載置する凹部を備えた載置面と、この載置面を所定の高さに支持する支持部とを有し、上記載置面および支持部を複数本の梁を格子状に桁組みして構成したことを特徴とするＸ線撮影用の支持台。
【請求項２】
前記載置面および支持部は、所定のコンベア上に載置される略直方体形状の支持台を構成するものであって、
前記梁は、上記略直方体形状の各面を規定する辺部に対して斜めに桁組みされることを特徴とする請求項１に記載のＸ線撮影用の支持台。
【請求項３】
前記載置面は、その主面の中央部を横切るＶ字状の溝を凹部として備えるものであって、
上記主面およびＶ字状の溝をなす斜面は、斜めに桁組みされた複数本の梁がなす面としてそれぞれ形成されるものである請求項１に記載のＸ線撮影用の支持台。
【発明の詳細な説明】
【技術分野】
【０００１】
本発明は、表面が曲面をなす検査対象物、例えば円柱状またはボール状の転がり易い検査対象物を載置して該検査対象物をＸ線検査に供するに好適なＸ線撮影用の支持台に関する。
【背景技術】
【０００２】
物体の内部構造を非接触に調べる場合、専ら、Ｘ線装置が使用される。この種のＸ線装置は、例えば図５に示すように検査対象とする物体Ａに対してＸ線発生装置１からＸ線を照射し、物体Ａを透過したＸ線の強度をラインセンサ２を用いて検出するように構成される。特にベルトコンベア３等を用いてＸ線の照射方向と直交する向きに物体Ａを移動させながら前記ラインセンサ２にて線状に検出される信号を上記物体Ａの移動方向に繋ぎ合わせることで該物体Ａの全体に亘るＸ線透過像を得、このＸ線透過像からその内部構造を検査するものとなっている（例えば特許文献１を参照）。
【０００３】
この際、物体（検査対象物）Ａが円柱状またはボール状の形状をなす場合、つまりその表面が曲面をなしているような場合には、図５に示すように物体Ａの転がりを防止する凹部（例えばＶ字状の溝）を備えた支持台４上に物体Ａを載置し、この支持台４と共に物体ＡをＸ線照射領域に搬送するようにしている。尚、この種の支持台４は、通常、プラスチック等の合成樹脂製のものからなる。
【特許文献１】特開平１１−１６０２５３号公報
【発明の開示】
【発明が解決しようとする課題】
【０００４】
しかしながらＸ線を物体（検査対象物）Ａの側方から照射するような場合、図６に示すように支持台４上に載置された物体Ａの一部が、特に支持台４の凹部に落とし込まれた物体Ａの下部側がＸ線の照射方向に対して上記支持台４と重なり合い、ラインセンサ２を介して得られるＸ線透過像が、例えば図７に示すようにその一部が不鮮明なものとなることがある。即ち、図７に物体ＡのＸ線透過像ａと支持台４のＸ線透過像ｂとを示すように、物体Ａの支持台４と重なり合った部分ｃにおいては、物体Ａおよび支持台４の双方においてＸ線が減衰しながら透過するのでその透過Ｘ線強度が低くなるので、支持台４との重なりのない領域における物体ＡのＸ線透過像ａに比較して鮮明度（階調）が損なわれると言う問題がある。
【０００５】
本発明はこのような事情を考慮してなされたもので、その目的は、表面が曲面をなして転がり易い検査対象物を載置してＸ線検査に供する場合であっても、Ｘ線透過像に大きな悪影響を及ぼすことのないＸ線撮影用の支持台を提供することにある。
【課題を解決するための手段】
【０００６】
上述した目的を達成するべく本発明に係るＸ線撮影用の支持台は、検査対象物を載置する凹部を備えた載置面と、この載置面を所定の高さに支持する支持部とを有したものであって、特に上記載置面および支持部を複数本の梁を格子状に桁組みして構成したことを特徴としている。
好ましくは前記載置面および支持部は、所定のコンベア上に載置される略直方体形状の支持台を構成するものであって、前記複数本の梁は、上記略直方体形状の各面を規定する辺部に対して斜めに桁組みされることを特徴としている（請求項２）。
【０００７】
また前記凹部が前記載置面の主面の中央部を横切るＶ字状の溝として設けられる場合、上記主面およびＶ字状の溝をなす斜面のそれぞれを、斜めに桁組みされた複数本の梁がなす面として形成することが好ましい（請求項３）。
【発明の効果】
【０００８】
本発明に係るＸ線撮影用の支持台によれば、検査対象物が載置される載置面およびこの載置面を所定の高さに支持する支持部が、格子状に桁組みされた複数本の梁にて構成されるので、その空孔率（隙間空間の割合）を十分に大きくすることができ、Ｘ線に対する支持台での透過減衰量を十分に少なくすることができる。この結果、Ｘ線の照射方向に対して支持台とこの支持台上に載置された検査対象物との重なりがある場合であっても、支持台でのＸ線の減衰を抑えることができるので、支持台の影響を殆ど受けることのない検査対象物の明瞭なＸ線透過像を得ることが可能となる。
【０００９】
特に複数本の梁を、概略直方体形状をなす支持台の各辺に対して斜めに配列して桁組みすれば、Ｘ線照射方向に対する梁の重なりを少なくして梁部分の実質的な厚みを薄くすることができるので、梁による透過Ｘ線の減衰量を全体的に低く抑えることが可能となる。従って検査対象物を支持する支持台のＸ線透過像に対する影響を十分に小さくすることができる等の実用上多大なる効果が奏せられる。
【発明を実施するための最良の形態】
【００１０】
以下、図面を参照して本発明の実施形態に係るＸ線撮影用の支持台について説明する。
図１は第１の実施形態に係る支持台１０の全体構成を示す斜視図である。この支持台１０は、複数本の梁１１を格子状に立体的に桁組みして構成され、全体的には、例えば長さ６５０ｍｍ、幅２５０ｍｍ、高さ５０ｍｍ程度の大きさの略直方体形状の物品として実現される。この例においては前述した複数本の梁１１は、基本的には互いに直交する方向に複数本ずつ所定のピッチでそれぞれ平行に設けられている。そしてその上面に略平面的に格子状に桁組みされた複数本の梁１１ａは、検査対象物（物体）Ａを載置する為の載置面１２を形成している。この載置面１２は、下面側に格子状に平面的に桁組みされた複数本の梁１１ｂによって形成された底面と、この底面上に立設された複数の梁（支柱）１１ｃとがなす支持台１３上に支持されて所定の高さに位置付けられている。
【００１１】
また前述した如く複数本の梁１１ａによって構成された載置面１２の上面中央部には、その長手方向に沿ってＶ字状の溝をなす凹部１４が形成されている。この凹部１４は、複数本の梁１１ａの中の短辺方向中央部に配列された２列の梁１１ａを、凹みをなすようにそれぞれ下側に向けて傾斜させて設けることで実現される。このようにしてＶ状の溝面を形成した凹部１３は、該凹部１３に沿って載置される円柱状の検査対象物Ａの載置面１２上からの転がりを防止する役割を担う。尚、このような凹部１３を備えた載置面１２を支持する支持台１３の前述した梁（支柱）１１ｃは、底面の中央部に立設された梁（支柱）１１ｃの長さを他の梁（支柱）１１ｃよりも短く設定されている。そしてこれらの各梁（支柱）１１ｃの上端間を結ぶように、載置面１２を形成する梁１１ａがそれぞれ設けられる。
【００１２】
かくしてこのように複数本の梁１１（１１ａ,１１ｂ,１１ｃ）を格子状に桁組みして構成される略直方体形状の支持台１０によれば、載置面１２のみならずその内部の全体が梁１１によって外枠が規定されただけの空間部を形成するので、Ｘ線の透過を殆ど妨げることのない空孔率（隙間の空間）の非常に大きなものとなる。従ってこのような構造の支持台１０に検査対象物Ａを載置してＸ線透過像を求めれば、例えば図２に示すように支持台１０の映り込みの少ないＸ線透過像を得ることができる。即ち、上述した構造の支持台１０によれば、Ｘ線の照射方向に複数本の梁１１が重なり合う部分において僅かではあるが梁１１の画像成分（いわゆる影）が映り込むだけなので、検査対象物ＡのＸ線透過像を明瞭に得ることが可能となる。この結果、支持台１０の影響を殆ど受けることなしに検査対象物Ａの内部を良好に検査することが可能となる。
【００１３】
ところで上述した実施形態においては、複数本の梁１１を略直角に配列して格子状に桁組みした支持台１０を実現したが、例えば図３に示すように複数本の梁１１を斜めに設けるようにしても良い。即ち、図３に本発明の第２の実施形態を示すように、略直方体形状をなす支持台１０の辺に対して前述した載置面１２を形成する梁１１ａをそれぞれ斜めに配列し、また支柱をなす梁１１ｃについても、いわゆる筋交いを形成するように斜めに設ける。そしてこれらの複数本の梁１１（１１ａ,１１ｃ）がＸ線照射方向に張り渡されることがなく、また互いに重なり合う領域が極力少なくなるように設定する。具体的には、一般に支持台１０の短辺方向にＸ線が照射されることを考慮し、このＸ線の照射方向に梁１１が延設されることがないように、また複数本の梁１１が極力重なり合うことがないように、複数本の梁１１を菱形状に桁組みする。
【００１４】
このような構造の支持台１０によれば、梁１１がＸ線照射方向に対して斜めに設けられることになるので、Ｘ線は梁１１を斜め方向に部分的に透過するだけとなる。従って梁１１の軸方向に沿ってＸ線が透過する場合に比較して、梁１１における実質的なＸ線の透過厚みを薄くすることができ、その減衰量を小さく抑えることが可能となる。この結果、上記構造の支持台１０に検査対象物Ａを載置してＸ線透過像を求めれば、例えば図４に示すように支持台１０の映り込みを更に少なくすることができる。そして支持台１０の存在が薄くぼんやりと認められる程度の、支持台１０の影響を殆ど受けることのない明瞭なＸ線透過像を得ることが可能となる。
【００１５】
ちなみに上述した桁組構造の支持台１０を実現する梁１１については、その載置面１２に載置される検査対象物Ａの重量に耐え、またＸ線の透過率が高いものであって、更には耐候性に優れたものを用いるようにすれば良い。具体的にはアクリルやポリプロピレン等の合成樹脂を用いて前述した載置面１２や支持部１３を射出成形等によりそれぞれ形成し、個々に製作した載置面１２と支持部１３とを樹脂系の接着剤を用いて接着して支持台１０を実現するようにすれば良い。
【００１６】
尚、本発明は上述した実施形態に限定されるものではない。例えば支持台１０の底面についてはＸ線透過像に写り込んでも、検査対象物Ａから離れているので、該検査対象物Ａと明確に識別することができる。従って複数本の梁１１ａを桁組みして底面を形成することに代えて、該底面を平板として構成することも勿論可能である。また複数本の梁１１ａの配列ピッチやその太さについては、検査対象物Ａの重量や大きさを考慮して定めれば良く、支持台１０の大きさについても特に限定されない。またここでは円柱状の検査対象物Ａを載置する支持台１０を例に説明したが、ボール状の検査対象物Ａを支持する支持台にも同様に適用することができる。その他、本発明はその要旨を逸脱しない範囲で種々変形して実施することができる。
【図面の簡単な説明】
【００１７】
【図１】本発明の第１の実施形態に係るＸ線撮影用の支持台の概略構成を示す斜視図。
【図２】図１に示す支持台を用いて検査対象物をＸ線検査した際のＸ線透過像の例を模式的に示す図。
【図３】本発明の第２の実施形態に係るＸ線撮影用の支持台の概略構成を示す斜視図。
【図４】図３に示す支持台を用いて検査対象物をＸ線検査した際のＸ線透過像の例を模式的に示す図。
【図５】支持台に載置した検査対象物に対する従来の一般的なＸ線検査の例を示す図。
【図６】図５に示すＸ線検査における支持台に載置した検査対象物とＸ線照射領域との関係を示す図。
【図７】図５に示すＸ線検査において求められるＸ線透過像の例を模式的に示す図。
【符号の説明】
【００１８】
Ａ  検査対象物
１０  Ｘ線撮影用の支持台
１１  梁
１２  載置面
１３  支持部
１４  凹部
【図１】
2005147800.tif 000003
【図２】
2005147800.tif 000004
【図３】
2005147800.tif 000005
【図４】
2005147800.tif 000006
【図５】
2005147800.tif 000007
【図６】
2005147800.tif 000008
【図７】
2005147800.tif 000009